(57)【特許請求の範囲】
【請求項１】
多角形平板状をなすインサート本体の一方の多角形面にすくい面が形成され、このすくい面の角部には上記一方の多角形面に対向する平面視に円弧状をなすコーナ刃が形成されるとともに、このコーナ刃の一端に連なる上記すくい面の辺稜部には上記インサート本体の側面を逃げ面とする主切刃が形成された切削インサートが、軸線回りに回転される工具本体に、上記すくい面を工具回転方向に向けて、上記コーナ刃を上記工具本体の先端外周側に位置させ、かつ上記主切刃が該工具本体外周において後端側に向かうに従い上記回転方向の後方側に延びるように取り付けられたインサート着脱式転削工具であって、
上記主切刃に連なるすくい面は、該すくい面の内側に向かうに従い上記工具本体への着座面とされる上記インサート本体の他方の多角形面側に向かう傾斜面とされ、その上記着座面に対する傾斜角は、上記コーナ刃の一端に連なる該主切刃の一端から他端に向かうに従い漸次小さくなる一方、上記工具本体への取付状態において該すくい面がなすすくい角は、該主切刃の上記一端から他端に向かうに従い漸次小さくなった後に漸次大きくなるようにされ、
上記主切刃は、上記平面視において上記すくい面の外側に凸となる凸曲線状とされるとともに、上記逃げ面に対向する側面視においても該主切刃の上記一端から他端側に向かうに従い凸曲しつつ上記着座面側に向かう凸曲線状とされ、
上記取付状態において、この主切刃の上記軸線回りの回転軌跡の投影線は、その中間部において該軸線を中心とする円筒面に接するとともに両端に向かうに従いこの円筒面の内側に向かう凸円弧状とされていることを特徴とするインサート着脱式転削工具。
【請求項２】
上記主切刃の投影線の両端が上記円筒面の内側に向かう後退量は、該主切刃の上記一端において、上記工具本体外周後端側に位置する該主切刃の他端よりも小さくされていることを特徴とする請求項１に記載のインサート着脱式転削工具。
【請求項３】
傾斜面とされた上記すくい面の内側には、該傾斜面から上記着座面側に凹む断面凹円弧状の凹面が、上記平面視において上記主切刃と等間隔に上記すくい面の全周に渡って形成されていることを特徴とする請求項１または請求項２に記載のインサート着脱式転削工具。
【請求項４】
上記主切刃に連なる逃げ面は、該主切刃に連なって上記着座面側に向かうに従い漸次後退するように傾斜する第１逃げ面と、この第１逃げ面の上記着座面側に連なって該第１逃げ面よりも大きな傾斜角で漸次後退するように傾斜する第２逃げ面とを備え、これら第１、第２逃げ面は上記側面視において上記主切刃の一端から他端側に向かうに従い凸曲しつつ上記着座面側に向かうように形成されていることを特徴とする請求項１から請求項３のいずれか一項に記載のインサート着脱式転削工具。
【請求項５】
上記主切刃の少なくとも上記一端側においては、上記第２逃げ面のさらに上記着座面側に連なって該着座面に垂直とされた平面状の第３逃げ面が形成されていることを特徴とする請求項４に記載のインサート着脱式転削工具。
【請求項６】
上記コーナ刃の他端に連なる上記すくい面の辺稜部には、上記取付状態において該コーナ刃の他端から上記工具本体内周側に延びる副切刃と、この副切刃に連なって上記コーナ刃が形成された上記角部とは反対の上記すくい面の他の角部に達し、上記平面視における上記副切刃の延長線に対して該すくい面の内側に凹む凹部とが形成されており、
上記平面視において、この凹部の両端に接する接線が上記コーナ刃の延長線に対してなす角度が、これら副切刃と凹部とが形成された上記すくい面の辺稜部の反対側に位置する上記他方の多角形面の辺稜部が上記延長線に対してなす角度よりも、５°〜２０°の範囲で大きくされていることを特徴とする請求項１から請求項５のいずれか一項に記載のインサート着脱式転削工具。
【発明の詳細な説明】
【技術分野】
【０００１】
本発明は、インサート着脱式転削工具（以下、単に転削工具と称する。）の工具本体に、該転削工具の切刃を構成する切削インサート（以下、単にインサートと称する。）を取り付けた転削工具に関するものである。
【背景技術】
【０００２】
この種のインサートおよび転削工具としては、例えば特許文献１に、円筒形保持器（工具本体）とインサートとを有する回転式フライス（転削工具）に使用される、インサートのすくい面と逃げ面との間に規定された少なくとも一つの切削縁（主切刃）を備えている切削インサートにおいて、すくい面と逃げ面とが連続的に湾曲され、その結果円筒形保持器に関して規定されたすくい角と逃げ角、すなわち工具本体への取付状態におけるすくい角と逃げ角とが切削縁の長さに沿って実質的に不変である切削インサートおよび回転式フライスが提案されている。また、本発明の発明者等も、特許文献２において、すくい面の角部に形成されたノーズ部の切刃の一端につながるように形成される主切刃が、ノーズ部の切刃につなげられたテーパ切刃と、該テーパ切刃のノーズ部と反対側の一端の接合点につなげられた湾曲切刃とを有し、このうち湾曲切刃は、ノーズ部を先端外側に位置させるように当該インサートを工具本体に装着した状態でこの工具本体の回転軸線を中心軸線とする所定の円筒面上に含まれるように形成されているとともに、テーパ切刃は、この湾曲切刃からノーズ部に向かうにしたがって円筒面からその内側に向かうように形成されたインサート、および該インサートを装着した転削工具を提案している。
【特許文献１】特開平２−２９８４１４号公報
【特許文献２】特開２００３−３３４７１６号公報
【発明の開示】
【発明が解決しようとする課題】
【０００３】
しかしながら、特許文献１に記載のインサートおよび転削工具では、上記切削縁が、湾曲され、かつフライスにおけるインサートの軸方向すくい角に対応する角度において、該切削縁の回転表面を構成するシリンダーに交差する平面の湾曲側部の部分を形成するようにされており、すなわち転削工具の回転軸線を中心とした円筒面とこれに一定の上記軸方向すくい角をなして交差する平面との交差稜線上に位置するように主切刃が形成されているので、主切刃は工具本体の取り付けられた状態においてやはり一定の上記軸方向すくい角をなして上記平面に沿った方向からの側面視に直線状を呈することとなる。このため、主切刃によって生成された切屑はすくい面にベタ当たりしながら流れ出ることとなって切屑離れが悪く、切削抵抗の増大を招くとともに、特にアルミニウムのような延性の高い金属材料を高速切削しようとすると、主切刃の先端側（特許文献２におけるノーズ部側）において上記円筒面よりも外側に位置する材料が離れの悪い切屑に引っ張られるように毟り取られることにより、インサートがこの円筒面を越えて外周側に喰い込むような傾向となり、主切刃の回転軌跡が正確に転削工具の回転軸線を中心とした円筒面とならずに却って加工面の垂直度を損なう結果となる。
【０００４】
しかるに、この点、特許文献２に記載のインサートおよび転削工具によれば、上記テーパ切刃が、ノーズ部に向かうに従って湾曲切刃が含まれる上記円筒面からその内側に向かうように形成されているので、このような延性の高い材料を高速切削する場合でもインサート先端のノーズ部に対して外周側に位置する材料が他の部分の切屑の排出に伴い引っ張られるように毟り取られてインサート先端部が外周側に喰い込むような傾向が抑えられ、面品位の高い垂直加工面を切削することができる。また、この特許文献２には、上記湾曲切刃を工具本体の回転方向に向かって凸としながらノーズ部から離れるに従ってインサート下面（取付面）との距離が次第に小さくなるように形成することも記載されており、これにより、上述のような延性の高い金属に対しても切屑離れをよくして高速切削を行うことができる。
【０００５】
ところが、これら特許文献１、２のように転削工具の工具本体回転軸線を中心とする円筒面上に主切刃や主切刃のうちの湾曲切刃が含まれるように構成されたインサートでは、例えば該インサートが工具本体に精度良く取り付けられていなかったりして、この円筒面上に湾曲切刃が正確に含まれずに、湾曲切刃の上記軸線回りの回転軌跡をこの軸線を含む平面に投影した投影線が、該湾曲切刃が含まれるべき円筒面に対して傾いて配置されてしまうと、垂直加工面の精度が損なわれるおそれがあった。特に、こうして湾曲切刃が正確に上記円筒面上に含まれるように配置されていないと、例えば主切刃の有効切刃長よりも深い垂直加工面を形成するのに、この切刃長分ずつ転削工具を段階的にその回転軸線方向先端側に移動させて切削を行うような場合には、各段において切削される個々の垂直加工面には高い面品位を与えることができるものの、隣接する垂直加工面同士の繋ぎ目に段差が目立つようになり、切削後に仕上げ加工を要したりすることにもなる。これは、例えば切削時に工具本体に撓みが生じたりして、各段の切削時に湾曲切刃が含まれる上記円筒面同士が一致しなくなった場合も同様である。
【０００６】
また、特許文献２に記載のインサートでは、上記湾曲切刃とテーパ切刃とが、その接合点においてそれぞれの接線が所定の角度をなすようにしてつなげられており、これによって両切刃によって形成された切屑が接合点を境に異なる方向に成長して互いに分離され易くなるため、湾曲切刃で形成される切屑によってノーズ部外周側に位置する材料が一層引っ張られないようにすることができるが、その反面、上述のように湾曲切刃が正確に上記円筒面に含まれるように配置されていなかったりすると、転削工具を段階的に移動させて切削を行ったときの垂直加工面同士の繋ぎ目がより目立ちやすくなるおそれがある。さらに、この湾曲切刃を工具本体の回転方向に向かって凸としながらノーズ部から離れるに従ってインサート下面（取付面）との距離が次第に小さくなるように形成することにより、上述のような延性の高い金属に対しても切屑離れをよくして高速切削を行うことも特許文献２には記載されているが、一層の高速切削を可能とするにはさらなる切屑離れの向上が期待される。
【０００７】
本発明は、このような背景の下になされたもので、上述のように転削工具を段階的に移動させて深い垂直加工面を形成する場合でも、個々の加工面同士の継ぎ目を目立たなくすることができて、垂直加工面全体として高い精度や面品位を得ることができ、さらには切屑離れの向上を図って一層の高速切削が可能な転削工具を提供することを目的としている。
【課題を解決するための手段】
【０００８】
上記課題を解決して、このような目的を達成するために、本発明は、多角形平板状をなすインサート本体の一方の多角形面にすくい面が形成され、このすくい面の角部には上記一方の多角形面に対向する平面視に円弧状をなすコーナ刃が形成されるとともに、このコーナ刃の一端に連なる上記すくい面の辺稜部には上記インサート本体の側面を逃げ面とする主切刃が形成されたインサートが、軸線回りに回転される工具本体に、上記すくい面を工具回転方向に向けて、上記コーナ刃を上記工具本体の先端外周側に位置させ、かつ上記主切刃が該工具本体外周において後端側に向かうに従い上記回転方向の後方側に延びるように取り付けられた転削工具であって、上記主切刃に連なるすくい面を、該すくい面の内側に向かうに従い上記工具本体への着座面とされる上記インサート本体の他方の多角形面側に向かう傾斜面とし、その上記着座面に対する傾斜角を、上記コーナ刃の一端に連なる該主切刃の一端から他端に向かうに従い漸次小さくする一方、上記工具本体への取付状態において該すくい面がなすすくい角を、該主切刃の上記一端から他端に向かうに従い漸次小さくなった後に漸次大きくなるようにし、上記主切刃を、上記平面視において上記すくい面の外側に凸となる凸曲線状とするとともに、上記逃げ面に対向する側面視においても該主切刃の上記一端から他端側に向かうに従い凸曲しつつ上記着座面側に向かう凸曲線状とし、上記取付状態において、この主切刃の上記軸線回りの回転軌跡の投影線を、その中間部において該軸線を中心とする円筒面に接するとともに両端に向かうに従いこの円筒面の内側に向かう凸円弧状としたことを特徴とするものである。
【発明の効果】
【０００９】
このように、インサートの主切刃が、転削工具の工具本体回転軸線を中心とした円筒面上に含まれることなく、この軸線回りの回転軌跡の投影線（該軸線を含む平面への投影線）が、その両端に向かうに従い中間部が接した円筒面から内側に向かう凸円弧状となるように、平面視に凸曲線状に形成された転削工具においては、主切刃が所定の位置から傾くようにインサートが工具本体に取り付けられてしまっても、その傾きが上記投影線のなす凸円弧に沿った方向であれば、切削される垂直加工面に転写されるこの投影線自体は変化することがない。その一方で、上述のように転削工具を軸線方向に段階的に移動させて切削を行う場合の加工面同士の継ぎ目は、この凸円弧状の投影線を軸線方向にずらして重ね合わせたもの転写した断面山型形状となるが、該投影線がなす円弧の半径を十分に大きく設定することにより、その高さを抑えて目立たなくすることが可能となるとともに、個々の加工面もより平坦に近い垂直面とすることができる。しかも、こうして段階的に移動させた際の上記円筒面同士が工具本体の撓み等により一致しなくなっても、継ぎ目が大きくなることはないので、結果的に高精度で継ぎ目の目立たない高い面品位の垂直加工面を得ることができる。
【００１０】
また、上記主切刃は、逃げ面に対向する側面視においてその上記一端から他端側に向かうに従い凸曲しつつ着座面側に向かう凸曲線状とされており、これに伴い該主切刃に連なるすくい面も同様に凸曲する凸曲面状に形成されるのに加え、この主切刃の上記投影線が凸円弧状をなすように平面視においても主切刃が凸曲線状とされているので、この主切刃によって垂直加工面を切削する際には、上記投影線を転写した凹状により大きく湾曲した切屑が凸曲したすくい面上に流れ出ることとなる。従って、切屑をより一層すくい面から離れ易くして速やかに処理することが可能となり、さらなる高速切削を促して切削効率の著しい向上を図ることができる。しかも、このように側面視に一端から他端側に向かうに従い凸曲しつつ着座面側に向かう主切刃が、工具本体の後端側に向かうに従いその回転方向の後方側に延びるように取り付けられるため、この主切刃の他端側すなわち深切り込み時に使用される工具後端側でそのアキシャルレーキ角を大きくすることができ、かかる深切り込み時に幅広の切屑が生成される場合でも、優れた切屑離れ性を維持することができる。
【００１１】
さらに、本発明では、インサートの上記主切刃に連なるすくい面が、該すくい面の内側に向かうに従い上記着座面側に向かう傾斜面とされており、転削工具においてかかるインサートを工具本体に取り付けた状態での該すくい面が主切刃に対してなすすくい角（ラジアルレーキ角）を正角側に設定することができて、切削抵抗の低減を図ることができる。そして、このとき、この傾斜面とされたすくい面のインサート本体の着座面に対する傾斜角を、主切刃の上記一端から他端に向かうに従い漸次小さくなるようにする一方で、この取付状態において該すくい面がなすすくい角は、該主切刃の上記一端から他端に向かうに従い漸次小さくなった後に漸次大きくなるようにされているので、上述のように工具後端側に向かうに従い回転方向後方に傾けられた主切刃の上記すくい角が工具先端側の一端と後端側の他端とで著しく異なってしまったりするのを防ぎつつ、すくい面の内側では主切刃の両端よりも間の部分がより凸となるように該すくい面を主切刃に沿って湾曲させることができ、さらに一層の切屑離れの向上を図ることが可能となる。
【００１２】
なお、ここで、例えば上記垂直加工面の底側にこれと直交する底面を形成する場合には、上記主切刃の投影線の両端が上記円筒面の内側に向かう後退量を、該主切刃の上記一端において、上記工具本体外周後端側に位置する該主切刃の他端よりも小さくすることにより、この底面側の垂直加工面が上記円筒面から内側に向かう大きさも小さくなるので、これら垂直加工面と底面とが交差するコーナ部の周囲をより直角交差に近い状態に形成することができ、一層高品位の加工面を得ることができる。また、上述のように傾斜面とされた上記すくい面の内側に、該傾斜面から上記着座面側に凹む断面凹円弧状の凹面を、上記平面視において上記主切刃と等間隔に上記すくい面の全周に渡って形成すれば、すくい面上を流れた切屑がこの凹面に至ったところでより確実に切屑を離れ易くすることができる。
【００１３】
一方、上述のような主切刃に連なる上記逃げ面は、該主切刃に連なって上記着座面側に向かうに従い漸次後退するように傾斜する第１逃げ面と、この第１逃げ面の上記着座面側に連なって該第１逃げ面よりも大きな傾斜角で漸次後退するように傾斜する第２逃げ面とを備えたものとして、これら第１、第２逃げ面を上記側面視において上記主切刃の一端から他端側に向かうに従い凸曲しつつ上記着座面側に向かうように形成することにより、特にすくい面を上述のような傾斜面とした場合には逃げ角が小さくなる上記第１逃げ面によって主切刃の刃先角を確保して欠損等の発生を防止することができるとともに、この主切刃によって形成された上記垂直加工面との間の逃げ量は第１逃げ面より逃げ角の大きくなる第２逃げ面によって十分に確保することが可能となり、しかもこれら第１、第２逃げ面が主切刃と同様に側面視において凸曲するように形成されているので、主切刃の全長に渡って第１、第２逃げ面の幅を略一定として部分的に逃げ量が不足するような事態を防ぐことができる。また、このようなインサートは一般的に、逃げ面の形状に合わせた内周面を有するプレス金型のダイに、すくい面および着座面の形状にそれぞれ合わせたパンチ面を有する上下パンチを挿入し、これらダイの内周面とパンチ面とによって画成されるキャビティー内で超硬合金等のインサート原料粉末を圧縮して圧粉体を成形し、これを焼結することにより製造されるが、このとき上記逃げ面にこのような第１、第２逃げ面を形成しておけば、圧粉体の第２逃げ面を成形するダイの内周面部分とすくい面を成形する上パンチのパンチ面外周側部分とで原料粉末が密に圧縮されることとなり、こうして成形された圧粉体を焼結した際の主切刃部分の焼結変形を抑制して、特にこの主切刃の精度の高いインサートを得ることができるという利点も得られる。
【００１４】
そして、さらにこうして主切刃に連なる逃げ面にこのような第１、第２逃げ面を形成した場合には、上記主切刃の少なくとも上記一端側において、第２逃げ面のさらに上記着座面側に連なって該着座面に垂直とされた平面状の第３逃げ面を形成することにより、例えばこの第２逃げ面から着座面にかけてを単に着座面側に向かうに従い漸次後退する逃げ面とした場合に比べ、第２逃げ面の直ぐ着座面側においてインサート本体側面により大きな肉厚を確保することができる。従って、工具本体への取付状態においてその回転方向側に位置して主切刃中最初に加工物に食い付くこととなる上記主切刃の一端側に特に高い切刃強度を確保することができ、このような食い付き時の衝撃によってこの主切刃の一端側やこれに連なるコーナ刃に欠損が生じたりするのを防止することができる。
【００１５】
一方、このようなインサートを取り付けた上記転削工具では、その工具本体を上記軸線に対して斜め先端側に送り出すことにより、傾斜した底面を有する溝や凹所を加工物に形成する、いわゆるランピング加工が行われることがあるが、このようなランピング加工に用いる場合において上記インサートには、工具本体先端側に配設されることになる上記コーナ刃の他端に連なる上記すくい面の辺稜部に、上記傾斜した底面を切削するための上記取付状態において該コーナ刃の他端から上記工具本体内周側に延びる副切刃と、この副切刃に連なって上記コーナ刃が形成された上記角部とは反対の上記すくい面の他の角部に達し、副切刃によって加工された底面との干渉を避けるために上記平面視における上記副切刃の延長線に対して該すくい面の内側に凹む凹部とが形成される。しかして、さらにこのようなインサートでは、上記平面視において、この凹部の両端に接する接線が上記コーナ刃の延長線に対してなす角度を、これら副切刃と凹部とが形成された上記すくい面の辺稜部の反対側に位置する上記他方の多角形面の辺稜部が上記延長線に対してなす角度よりも、５°〜２０°の範囲で大きくすることにより、ランピング加工により形成される傾斜した底面とインサート本体との干渉をより確実に防いで、この底面の傾斜角をより大きく設定することが可能となる。
【発明を実施するための最良の形態】
【００１６】
図１ないし図４は本発明の転削工具の一実施形態に取り付けられるインサートを示すものであり、図５ないし図９はこのインサートを取り付けた本発明の転削工具の一実施形態を示すものである。本実施形態のインサートは、そのインサート本体１が超硬合金等の硬質材料により概略四角形、より具体的には横長の概略平行四辺形の平板状をなし、その一方の平行四辺形面の外周側にすくい面２が形成されるとともに、他方の平行四辺形面は上記転削工具の後述する工具本体への着座面３とされ、さらに４つの側面には逃げ面４が形成されていて、上記すくい面２とこれら逃げ面４との交差稜線部に切刃が形成され、この切刃に対して逃げ面４に逃げ角が付されたポジティブインサートとされている。また、双方の平行四辺形面の中央には、インサート本体１をその厚さ方向に貫通する断面円形の取付孔５が開口させられており、着座面３はこの取付孔５の中心線Ｃに垂直な方向に延びる面一な平坦面とされるとともに、インサート本体１自体はこの中心線Ｃ回りに１８０°回転対称形状とされている。
【００１７】
上記すくい面２外周の角部のうち、上記一方の平行四辺形面の鋭角端部分に位置する角部には、上記中心線Ｃ方向にこの一方の平行四辺形面に対向する平面視において図１に示すように約１／４の凸円弧状をなすコーナ刃６が上記切刃として形成されている。さらに、このコーナ刃６の一端６Ａに連なるすくい面２の辺稜部には、上記一方の平行四辺形面の長辺部分に主切刃７が切刃として形成されるとともに、コーナ刃６の他端６Ｂに連なるすくい面２の辺稜部には、上記一方の平行四辺形面の短辺部分に副切刃８がやはり切刃として形成されており、これら主、副切刃７，８はコーナ刃６とそれぞれその両端６Ａ，６Ｂにおいて互いに滑らかに連なるようにされている。なお、これらコーナ刃６および主、副切刃７，８には、それぞれの切刃に直交する断面において中心線Ｃに垂直となる幅の極小さいランドが形成されている。また、すくい面２が形成される上記一方の平行四辺形面の鈍角端部分に位置する角部２Ａも上記平面視には約１／４の略凸円弧状とされ、ただしその半径はコーナ刃６がなす凸円弧の半径よりも小さくされている。
【００１８】
ここで、上記副切刃８は、上記平面視においてインサート本体１の長手方向（図１における左右方向）に垂直な直線状とされるとともに、コーナ刃６ともども中心線Ｃに垂直な一の平面上に延びるようにされている。また、この副切刃８が形成されたすくい面２の辺稜部において該副切刃８とは反対側の、副切刃８の他端８Ａから上記鈍角端角部２Ａに向かう部分は、この角部２Ａに向かうに従い上記平面視においてインサート本体１の内側に凹曲するように凹んだ後、やはりインサート本体１の長手方向に垂直に延びて該角部２Ａに達する凹部８Ｂとされている。
【００１９】
従って、この凹部８Ｂは、該平面視における副切刃８の延長線Ｌに対してすくい面２の内側に凹むように形成されることとなる。そして、さらに本実施形態では、上記平面視においてこの凹部８Ｂの両端に接する接線Ｍ、すなわち上記副切刃８の他端８Ａと角部２Ａの凹部８Ｂ側の端部２Ｂとに接する接線Ｍは、その上記延長線Ｌに対してなす角度θが、図１に破線で示す上記着座面３とされたインサート本体１の他方の平行四辺形面の辺稜部のうち、上記副切刃８と凹部８Ｂとが形成されたすくい面２の辺稜部の上記厚さ方向反対側に位置する辺稜部３Ａが同平面視において上記延長線Ｌに対してなす角度δよりも、５°〜２０°の範囲で大きくなるようにされている。
【００２０】
なお、本実施形態ではこの凹部８Ｂは、上記平面視において副切刃８の上記他端（コーナ刃６の他端６Ｂとは反対側の端部）８Ａで該副切刃８に鈍角の角度をもって折れ曲がるように交差し、この他端８Ａから上記角部２Ａに向けて概略凹円弧状をなしてすくい面２の内側に凹むようにされている。ただし、この凹円弧の半径はコーナ刃６や角部２Ａがなす凸円弧の半径よりは十分大きく、かつ後述する主切刃７が平面視になす凸曲線の曲率半径よりは十分小さくされている。また、この凹部８Ｂの副切刃８側の上記凹円弧は、上記角部２Ａ側の端部２Ｂから上述のようにインサート本体１の長手方向に垂直に延びる直線部分に滑らかに接するようにされており、従ってこの凹部８Ｂは図１に示すように上記接線Ｍに対してもすくい面２の内側に凹曲することになる。
【００２１】
また、上記着座面３とされるインサート本体１の他方の平行四辺形面は、図１に破線で示したとおり上記辺稜部３Ａも含めた４つの辺稜部が直線状とされるとともに、各角部はこれらの辺稜部に滑らかに連なる凸円弧状とされている。ただし、すくい面２側のコーナ刃６が形成された角部の裏側（インサート本体１の厚さ方向において反対側）に位置する着座面３の鋭角端角部の半径は、すくい面２の上記鈍角端角部２Ａの裏側に位置する着座面３の鈍角端角部の半径よりも大きくされている。ちなみに、本実施形態では、この着座面３がなす他方の平行四辺形面の上記辺稜部３Ａが平面視において延長線Ｌに対してなす上記角度δは５°とされる一方、上記接線Ｌが同平面視において延長線Ｌに対してなす上記角度θは１２°とされており、従ってその角度差は７°とされている。
【００２２】
さらに、上述のようにすくい面２の辺稜部において副切刃８の上記他端８Ａと該すくい面２の鈍角端角部２Ａとの間に形成された上記凹部８Ｂは、該副切刃８に連なる逃げ面４に対向する側面視には、この鈍角端角部２Ａに向けて、コーナ刃６および副切刃８が延びる上記一の平面から凸曲線を描きつつ着座面３側に向かうように後退した後、該鈍角端角部２Ａともどもこの一の平面よりも着座面３側に位置する中心線Ｃに垂直な他の一の平面上に延びるようにされている。なお、このうち少なくとも上記副切刃８の他端８Ａに連なる部分は、図２に示すように上記１の平面に滑らかに接するように形成されている。
【００２３】
一方、上記主切刃７は、上記平面視において上記すくい面２の外側すなわちインサート本体１の外側に凸となる緩やかな凸曲線状に形成されるとともに、該主切刃７に連なる逃げ面４に対向する側面視においても、図２に示すようにコーナ刃６の一端６Ａに連なる該主切刃７の一端７Ａから上記鈍角端角部に位置するその他端７Ｂ側に向かうに従い緩やかに凸曲しつつ着座面３側に向かう凸曲線状とされている。なお、この主切刃７の任意の１点において該主切刃７が平面視になす凸曲線の曲率半径は、主切刃７が側面視になす凸曲線のこの１点における曲率半径よりも大きくされ、すなわち主切刃７はいずれの部分でも平面視の凸曲線が側面視の凸曲線よりも緩やかとされ、さらにこれらの曲率半径は上記コーナ刃６が平面視になす凸円弧の半径や凹部８Ｂの半径よりも十分に大きくされている。
【００２４】
さらに、これらコーナ刃６および主、副切刃７，８に連なる上記すくい面２は、平面視にすくい面２の内側に向かうに従い図３および図４に示すように着座面３側に向かう傾斜面とされており、この内側に向かう方向でのすくい面２の着座面３に対する傾斜角は略一定とされ、従って該内側に向かう方向に沿って切刃（コーナ刃６，主、副切刃７，８）に交差する断面では、すくい面２は着座面３側に傾斜した略直線状を呈することとなる。ただし、このうち主切刃７に連なるすくい面２は、その着座面３に対する傾斜角が、該主切刃７の上記一端７Ａから他端７Ｂに向かうに従い漸次小さくなるようにされており、しかもその減少率は、主切刃７の一端７Ａから他端７Ｂに向かうに従い漸次小さくなった後に途中から漸次大きくなるようにされている。なお、インサート本体１の表面のうち、少なくともこのすくい面２、望ましくは上記一方の平行四辺形面の全体には、ラップ仕上げが施されている。
【００２５】
また、このように傾斜面とされたすくい面２のさらに内側には、断面が上述のように略直線状とされたこの傾斜面から、図４に示すようにこの傾斜面がなす直線に鈍角に交差して該傾斜面に対し上記着座面３側に凹む断面凹円弧状の凹面９が形成されている。この凹面９は、平面視には、すくい面２が形成されるインサート本体１の上記一方の平行四辺形面の平面視の外周形状を概ね一回り小さくしたような形状寸法で、すくい面２の内側に全周に渡って形成されたものであり、上記断面におけるすくい面２との交点からの深さが略一定となるように、切刃の中心線Ｃ方向における凹凸やすくい面２の起伏に合わせて周回りに該中心線Ｃ方向に起伏しつつ連続するように形成されている。
【００２６】
このような凹面９のうち主切刃７に沿う部分は、該主切刃７と等間隔に延びるように形成され、従ってこの凹面９との間の主切刃７に連なるすくい面２の幅（中心線Ｃに垂直な平面に沿った幅）Ｗは、両端７Ａ，７Ｂ周辺を除いて一定とされる。また、この主切刃７に沿う部分では凹面９の幅も略一定とされている。なお、この一定とされた主切刃７に連なるすくい面２の幅Ｗは０．５mm〜０．８mm程度と狭くされるのが望ましく、本実施形態では０．６mmとされている。これに対して、コーナ刃６およびこれに連なる部分の副切刃８内側のすくい面２および凹面９の幅は、主切刃７の内側部分よりも大きくされている。さらに、この凹面９よりも内側は、一旦隆起した後に、中心線Ｃ方向において主切刃７の両端７Ａ，７Ｂ間に位置する該中心線Ｃに垂直な平面状のボス面１０とされており、取付孔５はその上記一方の平行四辺形面側の開口部がこのボス面１０内に形成されている。
【００２７】
一方、逃げ面４が形成されるインサート本体１の側面は、インサート本体１の全周に渡って、上記切刃６〜８および凹部８Ａや鈍角端角部２Ａから着座面３に至る間にインサート本体１の外側に向けて傾斜したり凸となったりすることのない形状とされており、特に本実施形態ではすくい面２に連なる部分が着座面３側に向けて漸次インサート本体１の内側に後退するようにされたポジティブインサートとされている。このうち、上記コーナ刃６、副切刃８、凹部８Ｂ、および鈍角端角部２Ａが形成された辺稜部に連なる側面部分は、インサート本体１の周回り方向には上記平面視に上述のように凹凸曲するこの辺稜部に合わせて凹凸曲するように形成されており、さらにこのうちコーナ刃６および副切刃８に連なる逃げ面４は、これらコーナ刃６および副切刃８側で逃げ角が小さく、着座面３側で逃げ角が大きくされた折れ曲がり面とされている。そして、本実施形態では上述のように凹部８Ｂの接線Ｌがなす上記角度θが、その反対側の着座面３の辺稜部３Ａがなす上記角度δよりも大きくされることにより、この凹部８Ｂに連なる側面の逃げ角は、上記鈍角端角部２Ａ側から副切刃８の他端８Ａに向けて漸次大きくなり、従ってコーナ刃６から鈍角端角部２Ａに連なる上記側面部分の逃げ角は上記コーナ刃６および副切刃８に連なる逃げ面４部分で最大となる。
【００２８】
これに対して、上記主切刃７に連なる逃げ面４には、その主切刃７側に、該主切刃７に連なって着座面３側に向かうに従い漸次後退するように傾斜する第１逃げ面４Ａと、この第１逃げ面４Ａの着座面３側に連なって該第１逃げ面４Ａよりも大きな傾斜角で漸次後退するように傾斜する第２逃げ面４Ｂとが、主切刃７の上記一端７Ａから他端７Ｂに渡って形成されており、これら第１、第２逃げ面４Ａ，４Ｂにより、この主切刃７に連なる逃げ面４の主切刃７側には図３および図４に示すように着座面３側に対して外周側に一段突出する段部が形成されることとなる。ここで、これら第１、第２逃げ面４Ａ，４Ｂは、主切刃７に沿った方向においては、平面視に該主切刃７がなす上記緩やかな凸曲線に合わせてインサート本体１の外側に緩やかに凸となる凸曲面状とされて、該主切刃７の一端７Ａから他端７Ｂに向かうに従いそれぞれの傾斜角が漸次大きくなるように、すなわち一端７Ａ側よりも他端７Ｂ側の方がより大きな傾斜で着座面３側に向けてインサート本体１の内側に後退するようにされている。
【００２９】
また、これら第１、第２逃げ面４Ａ，４Ｂは、主切刃７から着座面３に向かう方向においては、それぞれ一定の傾斜角でインサート本体１の内側に漸次後退するようにされており、従って主切刃７に直交する断面においては図３や図４に示されるように直線状を呈することとなる。さらにまた、これら第１、第２逃げ面４Ａ，４Ｂの幅（中心線Ｃ方向の幅）は、それぞれ主切刃７の一端７Ａから他端７Ｂに渡って略一定となるようにされており、従ってこれら第１、第２逃げ面４Ａ，４Ｂも主切刃７と同様に上記側面視において図２に示すように、その一端７Ａから他端７Ｂに向かうに従い凸曲しつつ漸次着座面３側に向かうように延びることとなる。
【００３０】
さらに、この主切刃７に連なる逃げ面４の着座面３側は、上記第２逃げ面４Ｂよりは小さな一定の傾斜角（第１逃げ面４Ａと略同等の傾斜角）で着座面３側に向かうに従い漸次後退する傾斜平面とされており、すなわち主切刃７に沿った方向にも真っ直ぐ延びる平面とされていて、後述する工具本体への取付の際の拘束面４Ｃとされている。ここで、この拘束面４Ｃの主切刃７側の縁部は、上記側面視において図２に示すように、主切刃７の一端７Ａ側から他端７Ｂ側に向けて中心線Ｃに垂直に延びるように（着座面３に平行に延びるように）されるとともに、他端７Ｂ側に至る途中で、上述のように側面視において上記一端７Ａから他端７Ｂに向かうに従い凸曲しつつ漸次着座面３側に向かう第２逃げ面４Ｂの着座面３側の縁部に交差するようにされている。
【００３１】
従って、これら第２逃げ面４Ｂの着座面３側の縁部と拘束面４Ｃの主切刃７側の縁部との間には、これらの縁部同士の交点よりも主切刃７の一端７Ａ側に、側面視にこの一端７Ａ側に向かうに従い中心線Ｃ方向の幅が漸次幅広となる間隙部分が、第２逃げ面４Ｂのさらに着座面３側に連なるように形成されることとなる。そして、この間隙部分は着座面３に垂直な平面状とされて、本実施形態における第３逃げ面４Ｄとされており、拘束面４Ｃはその上記主切刃７側の縁部でこの第３逃げ面４Ｄと鈍角に交差することとなって、この縁部が上述のように中心線Ｃに垂直に延びるようにされていることから、本実施形態ではこれら拘束面４Ｃと第３逃げ面４Ｄとは、主切刃７の一端７Ａから他端７Ｂ側に向かう方向には互いに平行に延びるようにされる。
【００３２】
このように構成されたインサートは、図５ないし図７に示すように工具本体１１に着脱可能に取り付けられて本実施形態の転削工具を構成する。この工具本体１１は鋼材等によって軸線Ｏを中心とする概略円柱状に形成され、その後端側（図５および図６において上側）が工作機械の主軸等に把持されて軸線Ｏ回りに工具回転方向Ｔに回転させられて切削に使用される。ここで、この工具本体１１の先端部外周には、その先端面に開口して後端側に延びるチップポケット１２が形成されており、さらにこのチップポケット１２の回転方向Ｔ側を向く壁面先端側にはインサート取付座１３が形成されていて、このインサート取付座１３に上記インサートのインサート本体１が取り付けられている。なお、このチップポケット１２は、図６に示すように工具本他１１の後端側に向かうに従い、回転方向Ｔに向けて凸曲しつつ回転方向Ｔの後方側に延びるように形成されている。
【００３３】
上記インサート取付座１３は、チップポケット１２の上記壁面から回転方向Ｔの後方側に一段凹むように形成された凹所で、この工具回転方向Ｔを向いて工具後端側に向かうに従い回転方向Ｔ後方側に向かうように傾斜する着座面３と略同形同大の平面状の取付座底面１３Ａと、この取付座底面１３Ａの工具後端側に屹立して上記壁面に連なるように工具先端側を向く取付座壁面１３Ｂ、および取付座底面１３Ａの工具内周側に屹立して工具外周側を向く取付座壁面１３Ｃとから構成されている。また、取付座底面１３Ａの中央にはインサート本体１の上記取付孔５に挿通されたクランプネジ１４がねじ込まれるネジ孔（図示略）が形成されるとともに、取付座壁面１３Ｂ，１３Ｃの形状および取付座底面１３Ａに対する傾斜角は、インサート本体１の副切刃８に連なる逃げ面４の形状および着座面３に対する傾斜角と、主切刃７に連なる逃げ面４のうち上記拘束面４Ｃの形状および着座面３に対する傾斜角とにそれぞれ合わされている。
【００３４】
このようなインサート取付座１３に、上記インサート本体１は、上記すくい面２が形成された一方の平行四辺形面を工具回転方向Ｔに向けて着座面３を取付座底面１３Ａに着座させ、また１の副切刃８に連なる逃げ面４を取付座壁面１３Ｂに、この１の副切刃８にコーナ刃６を介して交差する１の主切刃７に連なる逃げ面４の拘束面４Ｃを取付座壁面１３Ｃに、それぞれ当接させて中心線Ｃ回りの回転を拘束された上で、上記クランプネジ１４によって固定されて取り付けられる。なお、上記取付座壁面１３Ｂ，１３Ｃが交差する角部には、上記１の主切刃７と副切刃８とが交差する１のコーナ刃６およびこれに連なる逃げ面４との干渉を防止するための凹所が形成されている。
【００３５】
従って、こうして取り付けられたインサート本体１においては、上記１のコーナ刃６とは反対のコーナ刃６が工具本体１１の先端外周側に位置させられ、かつこのコーナ刃６の一端６Ａに一端７Ａが一致する主切刃７が、工具本体１１の先端部外周において後端側に向かうに従い回転方向Ｔの後方側に延びるように取り付けられる。また、このコーナ刃６の他端６Ｂに連なる副切刃８は、工具本体１１の軸線Ｏに垂直な平面上に位置するように配置されるとともに、この副切刃の他端８Ａに連なる凹部８Ｂは該平面に対して後退するようにされる。そして、上記実施形態のインサートでは、このような工具本体１１への取付状態において、この工具本体１１先端部外周に延びる主切刃７は、その上記軸線Ｏ回りの回転軌跡の該軸線Ｏを含む平面への投影線が、図８に示すようにその一端７Ａと他端７Ｂとの中間部７Ｃにおいて該軸線Ｏを中心とする円筒面Ｐに接するとともに、その両端すなわち一端７Ａと他端７Ｂとにそれぞれ向かうに従いこの円筒面Ｐの内側に向かう凸円弧状とされている。
【００３６】
すなわち、上記実施形態のインサートでは、上述のようにインサート本体１の上記平面視にすくい面２の外側に凸となる凸曲線状とされた主切刃７を工具本体１１の後端側に向かうに従い回転方向Ｔの後方側に延びるように配置してインサート本体１を取り付けることにより、この主切刃７を特許文献１の切削縁や特許文献２の湾曲切刃のように軸線Ｏを中心とした円筒面Ｐに含まれるようにするのではなく、つまりその投影線が、軸線Ｏを含む上記平面において円筒面Ｐがなす軸線Ｏに平行な直線と一致するのではなく、図８に示すように円筒面Ｐの内側から上記中間部７Ｃにおいてこの直線に接する凸円弧をなすようにされている。なお、この主切刃７の投影線がなす凸円弧の半径Ｒは十分に大きくされるとともに、こうして凸円弧をなす主切刃７の投影線の両端が円筒面Ｐの内側に向かう後退量は、該主切刃７の上記一端７Ａの後退量Ａが他端７Ｂの後退量Ｂよりも小さくなるようにされており、例えばこの主切刃７に連なる上記すくい面２の幅Ｗを上述のように０．６mmとした本実施形態では後退量Ｂが０．０２mm程度であるのに対して後退量Ａは０．０１mm程度と、約１／２程度とされている。
【００３７】
さらにまた、上記実施形態のインサートでは、この主切刃７に連なるすくい面２の着座面３に対する傾斜角が、上述のように主切刃７の上記一端７Ａから他端７Ｂに向かうに従い漸次小さくなるようにされているものの、その減少率は一端７Ａから他端７Ｂに向かうに従い漸次小さくなった後に途中から漸次大きくなるようにされており、このようなインサート本体１の着座面３が工具本体１１の後端側に向かうに従い回転方向Ｔの後方側に傾斜したインサート取付座１３の取付座底面１３Ａに着座させられて取り付けられることにより、この取付状態において該すくい面２がなすすくい角は、主切刃７の一端７Ａから他端７Ｂに向かうに従い漸次小さくなった後に漸次大きくなるようにされている。すなわち、図９に断面を示すように、主切刃７の一端７Ａと、両端７Ａ，７Ｂの略中間と、他端７Ｂとにおけるすくい面２のすくい角α，β，γは、α＞β＜γなる関係となる。ただし、この図９において主切刃７の一端７Ａと他端７Ｂとにおける切刃外径は、この主切刃７の上記投影線が上述のような凸円弧状をなしていることから、それぞれ上記後退量Ａ，Ｂの２倍分だけ中間部７Ｃにおける外径Ｄよりも小さくなる。
【００３８】
なお、本実施形態の転削工具では、工具本体１１先端部に複数ずつ（図では３つずつ）のチップポケット１２およびインサート取付座１３が周方向に等間隔、かつ軸線Ｏ回りに回転対称に形成されており、これらのインサート取付座１３それぞれにインサート本体１が、その切刃（コーナ刃６、主切刃７、および副切刃８）の回転軌跡を互いに一致させるように取り付けられている。また、工具本体１１には後端側から軸線Ｏに沿ってクーラント供給孔１１Ａが形成されており、このクーラント供給孔１１Ａは工具本体１１先端部で分岐して、インサート本体１の上記すくい面２に向けられるように各チップポケット１２の内壁面に開口されている。さらに、チップポケット１２内壁面を含めた少なくとも工具本体１１先端部表面は、旋盤加工、研磨、およびラッピングにより表面粗度がＲｙ３．２μｍ以下とされ、さらにＮｉ等のめっきやＤＬＣ、ＷＣＣ、ＭｏＳ2、ＣｒＮ、ＴｉＮ、Ａｌ2Ｏ3等の潤滑性コーティングが施されている。また、工具本体１１の外周面や先端面には、上記切刃外径Ｄをマスターインサートに基づいて測定した寸法をレーザーマーキング等のマーキングや刻印等によって表示してもよい。
【００３９】
このように構成されたインサートおよび転削工具においては、その主切刃７が、上述の特許文献１の切削縁や特許文献２の湾曲切刃のように工具本体１１の軸線Ｏを中心とした上記円筒面Ｐ上に含まれることなく、この軸線Ｏ回りの回転軌跡の投影線が両端７Ａ，７Ｂに向かうに従いこの円筒面Ｐから内側に向かう凸円弧状とされているので、たとえインサート本体１が上記平面視において主切刃７が所定の位置から傾くように工具本体１１に取り付けられてしまっても、その傾きが上記投影線がなす凸円弧に沿った方向であれば、この投影線すなわち主切刃７の回転軌跡自体が大きく変化することはなく、従って所望の垂直加工面を形成することができる。特に、本実施形態のようにインサート本体１の厚さ方向に貫設された取付孔５にクランプネジ１４を通して工具本体１１にねじ込むことにより固定されるインサートでは、上記取付座壁面１３Ｂ，１３Ｃの当接にも関わらず、この取付孔５の中心線Ｃ回りにインサートが傾いて取り付けられ易いが、この傾きは概ね上記投影線がなす凸円弧に沿った方向となるので、垂直加工面の精度が著しく損なわれてしまうのを防ぐことができる。
【００４０】
さらに、この主切刃７の有効切刃長以上の深さの垂直加工面を形成する場合には、上述のように工具本体１１をその軸線Ｏ方向先端側に段階的に移動させて垂直加工面を順次掘り下げるように切削を行うこととなり、このような場合において上記構成のインサートおよび転削工具により形成される垂直加工面は、主切刃７の上記投影線がなす凸円弧を軸線Ｏ方向にずらして転写した形状となる。従って、各段の垂直加工面同士の繋ぎ目Ｑは、先の切削において主切刃７の一端７Ａ側により形成された上記円筒面Ｐからその内側に後退する部分と、その次に工具本体１１を移動させた切削において主切刃７の他端７Ｂ側により形成されたやはり円筒面Ｐからその内側に後退する部分とが重なり合った形状となり、すなわち図１０に示すように凹円弧同士を両斜面とする断面山型形状を呈することとなるが、上述のように主切刃７の投影線がなす円弧の半径Ｒを十分に大きく設定することにより、この断面がなす山型の斜面の傾斜を極めて緩やかとしてその高さを抑え、上記円筒面Ｐに沿った平坦面同士を連続させたような断面形状に近づけることができる。
【００４１】
このため、上記インサートおよび転削工具によれば、こうして深い垂直加工面を段階的に形成する場合でも、各段の垂直加工面同士の継ぎ目Ｑが大きくなって工具本体１１の送り方向に延びる筋が形成されてしまったりするのを防ぐことができ、継ぎ目Ｑの目立たない面品位の高い垂直加工面を形成することが可能となる。しかも、こうして工具本体１１を段階的に移動させた場合において、切削時の負荷等によって該工具本体１１に撓みが生じたりすることにより、各段の切削において上記円筒面Ｐ同士にずれが生じて厳密に一致しなくなったりしても、上記継ぎ目Ｑは上述のような断面凹円弧同士が重なり合った形状のままであって上記山型の高さや斜面の傾斜が著しく大きくなることはなく、従ってこのような工具本体１１の撓みが生じても継ぎ目Ｑが目立ってしまうのを防いで、面品位の高い高精度の垂直加工面を形成することが可能となる。
【００４２】
さらに、本実施形態のインサートおよび転削工具では、こうして上記主切刃７の投影線において上記円筒面Ｐから内側に後退するようにされたその両端７Ａ，７Ｂのうち、工具本体１１外周の先端側に配置される一端７Ａの円筒面Ｐからの後退量Ａが、後端側に配置される他端７Ｂの後退量Ｂよりも小さくされている。しかるに、上述のように切削された垂直加工面の底側（工具本体１１の先端側）に、主切刃７にコーナ刃６を介して連なる上記副切刃８によって図１０に示すように該垂直加工面に直交する底面を形成したりする場合には、コーナ刃６やこの副切刃８に連なる主切刃７の一端７Ａが上述のように円筒面Ｐから内側に後退していると、これら垂直加工面と底面とが交差する角隅部も円筒面Ｐから内側に傾斜してしまうことは避けられないが、この一端７Ａ側での主切刃７の後退量Ａが上述のように小さくされているので、この角隅部が円筒面Ｐから内側に向かう大きさや傾斜を小さく抑えて垂直加工面と底面とをより直角に交差する状態に近いものとすることができる。このため、本実施形態によれば、こうして垂直加工面の底に底面を形成する場合でもより高品位の加工面を得ることが可能となる。
【００４３】
一方、上記インサートの主切刃７は、上記逃げ面４に対向する側面視において、その上記一端７Ａから他端７Ｂ側に向かうに従い凸曲しつつ着座面３側に向かう凸曲線状とされており、この着座面３が着座するインサート取付座１３の取付座底面１３Ａが上述のように傾斜していることにより、このような主切刃７が、工具本体１１の後端側に向かうに従いその回転方向Ｔの後方側に延びるように取り付けられている。このため、上記有効切刃長の略全体を使用するような深切り込み時において、工具後端側の主切刃７の他端７Ｂ側でそのアキシャルレーキ角を大きくすることができるので、このような深切り込み時に幅広の切屑が生成される場合でも、切屑を速やかにすくい面２から離間させて処理することが可能となる。
【００４４】
そして、このように主切刃７が側面視に凸曲線状とされるのに伴い、この主切刃７に連なる上記すくい面２も同様に回転方向Ｔに凸曲する凸曲面状に形成されるのに対し、上記構成のインサートおよび転削工具では、この主切刃７が、上記平面視において凸曲線状とされているのに加え、上記投影線においても凸曲線をなす円弧とされているので、このような主切刃７によって生成される切屑は、主切刃７の両端７Ａ，７Ｂ側に対して中間部７Ｃ側が凹むようにより大きく湾曲した断面凹状を呈することとなる。すなわち、上記構成のインサートおよび転削工具によれば、凹状により大きく湾曲した切屑が、その最も凹んだ部分を凸状のすくい面２の最も凸となる部分に沿わせるようにして該すくい面２上に流れ出ることとなるので、切屑をすくい面２から一層離れ易くすることができ、従って上述のように他端７Ｂ側でアキシャルレーキ角を大きくすることができるのとも相俟って、たとえ深切り込み・高速切削でも切屑詰まりや噛み込み等が生じるのを確実に防ぐことができ、これらにより切削効率のさらなる向上を図ることが可能となる。
【００４５】
さらに、この主切刃７に連なるすくい面２は、その内側に向かっても着座面３側に向かう傾斜面とされており、これによりすくい面２のラジアルレーキ角も正角側に設定することができるので、上述のような深切り込み・高速切削時でも切削抵抗の低減を図ることができ、かかる切削抵抗によって工具本体１１に撓みやびびりが生じたりするのも防ぐことができる。しかも、このすくい面２の幅Ｗも、本実施形態においては上述のように小さな幅とされているので、一層の切削抵抗の低減を図ることができる。また、この傾斜面とされたすくい面２がその内側に向けてなす傾斜角は、着座面３に対しては主切刃７の一端７Ａから他端７Ｂに向けて漸次小さくなるようにされており、従って上記すくい角（ラジアルレーキ角）が工具先端側の主切刃７の一端７Ａと後端側の他端７Ｂとで著しく異なってしまったりするのを防いで、安定した切屑の生成による円滑な切削を促すことができる。
【００４６】
そして、その一方で、このすくい面２の傾斜角は、インサート本体１を工具本体１１に取り付けた状態では、図９に示したように一端７Ａから他端７Ｂに向けて、すくい角αから一旦漸次小さくなるようにされてすくい角βとなり、その後に漸次大きくなるようにされて他端７Ｂですくい角γとなるようにされており、従って上述のように安定した切屑の生成を図りつつも、このすくい面２の内側では上述のように凸曲する該すくい面２を主切刃７の両端７Ａ，７Ｂの内側よりもその間の部分の内側の方がより大きく凸となるように湾曲させることができる。このため、上記投影線が凸円弧状をなす主切刃７によってより凹状に生成された切屑が、内側に向けてより大きく凸状に湾曲したすくい面２上を流れることとなるので、さらに一層の切屑離れの向上を図ることができ、延性の高いアルミニウム等の金属材料を高速切削する場合でも、優れた切屑処理性を得ることが可能となる。なお、このすくい角が最も小さくなる位置が、主切刃７の投影線の上記円筒面Ｐと接する中間部７Ｃと一致させられていれば、さらに効果的である。
【００４７】
また、これらに加えて、本実施形態では、このすくい面２のさらに内側に、該すくい面２がなす上記傾斜面から着座面３側に凹む断面凹円弧状の凹面９がすくい面２の全周に渡って形成されており、この凹面９は、主切刃７の内側では上記平面視において主切刃７と等間隔に該主切刃７に沿って延びるように形成されている。従って、図１１に示すように、上記すくい面２上を流れ出た切屑Ｓは、この凹面９に至ったところで強制的にすくい面２から離されることとなるので、一層確実な切屑離れの向上を図ることが可能となる。また、特に本実施形態ではこのような凹面９がすくい面２の内側に、上記一方の平行四辺形面の全周に渡って形成されており、従ってコーナ刃６や副切刃８によって生成される切屑に対しても、優れた切屑離れを促すことが可能となる。
【００４８】
一方、本実施形態では、上記主切刃７に連なる逃げ面４において、その主切刃７側に、該主切刃７に連なって着座面３側に向かうに従い小さな傾斜角で漸次後退するように傾斜する第１逃げ面４Ａと、この第１逃げ面４Ａの着座面３側に連なって該第１逃げ面４Ａよりも大きな傾斜角で漸次後退するように傾斜する第２逃げ面４Ｂとが形成されており、従って主切刃７の刃先側では傾斜が小さくされて逃げ角も小さくなる上記第１逃げ面４Ａにより刃先角を確保することができ、特に本実施形態のようにすくい面２が内側に向かうに従い着座面３側に向かう傾斜面とされている場合に、この刃先部分に欠損等が生じたりするのを防ぐことができる。これに対して、この刃先から離れた側では大きく傾斜する第２逃げ面４Ｂによって十分な逃げ量を確保することができるので、上記垂直加工面とのいわゆる二番当たりによって切削抵抗が増大したりするのを防ぐことができる。しかも、これら第１、第２逃げ面４Ａ，４Ｂは主切刃７と同様に上記側面視においてこの主切刃７の一端７Ａから他端７Ｂ側に向かうに従い凸曲しつつ着座面３側に向かうように形成されているので、図２に示すように第１、第２逃げ面４Ａ，４Ｂの主切刃７からの幅をこの主切刃７の全長に亙って略一定とすることができ、例えば第１逃げ面４Ａが部分的に幅広となって上述のような二番当たりを生じてしまったり、あるいは逆に第１逃げ面４Ａが部分的に幅狭となって欠損が生じ易くなったりするような事態も防ぐことができる。
【００４９】
また、このようなインサート本体１を上述のように超硬合金等によって形成するときには、上記逃げ面４は、プレス金型のダイ側に形成されるキャビティ内周面をこの逃げ面４に応じた形状としておいて、キャビティに充填された超硬合金等の原料粉末を上下パンチによって圧縮した粉末成形体を焼結することにより成形されるが、本実施形態のように逃げ面４が上記第１、第２逃げ面４Ａ，４Ｂを備えて、外周側に一段突出するような段部が逃げ面４の主切刃７側に形成される場合には、上記原料粉末の圧縮の際に、この段部を形成するキャビティ内周面の第２逃げ面４Ｂに対応した部分とすくい面２に対応した上パンチのパンチ面との間で、原料粉末がより密に圧縮されることとなる。従って、そのように圧縮された粉末成形体を焼結すると、こうして密に圧縮された主切刃７周辺の段部では焼結による変形が抑えられ、所望の寸法、形状の主切刃７を備えたインサート本体１を得ることができるので、本実施形態によれば特にこの主切刃７に高い精度を有するインサートを提供することができ、該主切刃７による上述の効果を一層確実に奏することが可能となる。
【００５０】
さらに、本実施形態では、主切刃７の上記一端７Ａ側において、このように段部状に形成された第１、第２逃げ面４Ａ，４Ｂの着座面３側に、大きな傾斜角（逃げ角）で傾斜する第２逃げ面４Ｂに連なって着座面３に垂直とされた第３逃げ面４Ｄが形成されていて、この第３逃げ面４Ｄと着座面３までの間が着座面３側に向かうに従いインサート本体１内側に後退するように傾斜する拘束面４Ｃとされており、例えば主切刃７の他端７Ｂ側のように第２逃げ面４Ｂに拘束面４Ｃが直接連なっていたりするのに比べ、これら第１、第２逃げ面４Ａ，４Ｂによって形成される上記段部の直下において、インサート本体１に大きな肉厚を確保することができる。しかるに、この主切刃７の一端７Ａ側やこれに連なるコーナ刃６周辺は、インサート本体１の工具本体１１への取付状態においてその回転方向Ｔ側に位置して主切刃７のうちで最初に加工物に食い付くことになるため、この食い付きの際に衝撃的負荷が作用してチッピングや欠損等が生じ易いが、本実施形態によればそのような部分にインサート本体１の肉厚を確保することにより、かかる衝撃的負荷に対しても十分な強度を得ることが可能となり、これによりインサート寿命の延長を図ることが可能となる。加えて、この逃げ面４は、第１、第２逃げ面４Ａ，４Ｂおよび拘束面４Ｃが着座面３側に向けてインサート本体１の内側に後退する傾斜面とされるとともに、上記第３逃げ面４Ｄも着座面３に垂直とされていて、上述のようにインサート本体１の全周に渡って切刃６〜８から着座面３に至る間にインサート本体１の外側に向けて傾斜したり凸となったりすることのない形状とされ、すなわちいわゆるアンダーカット部を有さない側面形状とされているので、上述のようにプレス金型によって粉末成形体をプレス成形して当該インサートを製造する場合でも、確実かつ比較的簡略な金型によってプレス成形が可能であるという利点も得られる。
【００５１】
さらにまた、本実施形態のインサートでは、コーナ刃６の他端６Ｂに連なるすくい面２の辺稜部に副切刃８が形成されており、この副切刃８が工具本体１１への取付状態では軸線Ｏに垂直な平面上に位置させられるため、加工物に形成される垂直加工面と底面とをさらに確実に直交する状態に近いものとすることができる。そして、さらにこの副切刃８の工具本体１１内周側に位置することとなる他端８Ｂ側には、該副切刃８の延長線Ｌに対してすくい面２の内側に凹む凹部８Ｂが形成されており、従ってこの凹部８Ａは上記軸線Ｏに垂直な平面に対しても後退するように凹むことになるので、該工具本体１１を軸線Ｏ方向先端側に斜めに送り出して加工物に傾斜した底面を有する溝や凹所を形成するランピング加工においても、副切刃８により形成されたこの底面にその他端８Ｂよりも工具本体１１内周側の部分が干渉するのを防ぐことができる。
【００５２】
そして、さらに本実施形態のインサートでは、そのインサート本体１の中心線Ｃ方向にすくい面２に対向する平面視において、この凹部８Ｂに接する接線Ｍが副切刃８の延長線Ｌに対してなす角度θが、該凹部８Ｂの形成された辺稜部とは反対側の着座面３の辺稜部３Ａが上記延長線Ｌに対してなす角度δより５°〜２０°の範囲で大きくされているので、このランピング加工の際に底面の傾斜角を大きくしても、凹部８Ｂやこれに連なるインサート本体１の側面部分がこの底面に干渉するのをより確実に防ぐことができ、これにより自由度の高い切削加工を加工物に施すことが可能となる。すなわち、上記角度θ，δの差が５°に満たないと副切刃８の延長線Ｌに対する凹部８Ｂの後退量が不足するおそれがある一方、角度θ，δの差が２０°を上回るほど大きくても凹部８Ｂに連なるインサート本体１の側面の特に鈍角端角部２Ａ側の逃げ角が不足するおそれがあり、いずれの場合も、ランピング加工時における工具本体１１の軸線Ｏ方向に直交する方向への送り量に対して該軸線Ｏ方向への送り量を大きくし、すなわち上記底面の傾斜角を大きくしたときには、インサート本体１が形成された底面と干渉して該底面を傷付けたり、抵抗の増大やインサート本体１の破損を招いたりするおそれがある。
【００５３】
さらに、本実施形態では、こうして副切刃８の延長線Ｌに対する凹部８Ｂの接線Ｍの角度θが着座面３の辺稜部３Ａの角度δよりも大きくされることにより、これら副切刃８や凹部８Ｂが形成されたインサート本体１の側面逃げ角は、上述のように凹部８Ｂに沿って上記鈍角端角部２Ａ側から副切刃８の他端８Ａに向け漸次大きくなり、副切刃８に連なる逃げ面４で最大となるので、ランピング加工の際に上記傾斜角を大きくしても、この副切刃８に連なる逃げ面４が上記底面と干渉するような事態も防止することができる。加えて、本実施形態では、この凹部８Ｂが上記平面視に凹円弧をなすように凹んでいるので、副切刃８に連なるその他端８Ａ側でインサート本体１の強度を確保することができ、この部分における欠損等も防止することができるという利点も得られる。
【００５４】
なお、本実施形態ではインサート本体１を平面視に概略平行四辺形をなす平板状に形成しているが、すくい面が形成される面が、コーナ刃が形成される角部とこれに連なって主切刃が形成される辺稜部とを少なくとも１つずつ有する多角形面であれば、他の形状であっても構わない。また、上記第１、第２逃げ面４Ａ，４Ｂを、着座面３側に向けてインサート本体１の内側に後退するように形成するにしても、主切刃７に直交する断面においてインサート本体１の外側に凸曲しつつ着座面３側に向かうに従い後退する凸曲面状に形成したりしてもよい。さらに、本実施形態の転削工具では、工具本体１１先端部外周に形成されたチップポケット１２が、上記取付状態におけるインサートの主切刃７の側面視形状と同様に、回転方向Ｔ側に凸曲しつつ工具本体１１後端側に向かうに従い回転方向Ｔの後方に向かうように湾曲しているので、この主切刃７によって切屑離れよく生成された切屑を、さらに工具本体１１の後端側に効率的かつ速やかに排出することができ、上述のように有効切刃長以上の深さの垂直加工面を切削する場合や、あるいは当該転削工具により溝加工を行うような場合でも、切屑の滞留による噛み込み等の発生を未然に防止することが可能となる。
【図面の簡単な説明】
【００５５】
【図１】本発明の転削工具の一実施形態に取り付けられるインサートを示す平面図である。
【図２】図１に示すインサートの側面図である。
【図３】図１および図２におけるＺＺ断面図である。
【図４】図３に示す断面図の主切刃７周辺の拡大図である。
【図５】図１に示すインサートを取り付けた本発明の転削工具の一実施形態を示す平面図である。
【図６】図５に示す転削工具の側面図である。
【図７】図５に示す転削工具の正面図である。
【図８】図１に示すインサートの取付状態における主切刃７の回転軌跡を軸線Ｏを含む平面に投影した投影線を示す図である。
【図９】図６における（イ）ＸＸ断面、（ロ）ＹＹ断面、（ハ）ＺＺ断面におけるインサート本体１の断面図である。
【図１０】図１に示すインサートを取り付けた転削工具により、有効切刃長よりも深い垂直加工面を形成する場合の、主切刃７の回転軌跡の投影線を示す図である。
【図１１】図１に示すインサートにより生成される切屑Ｓを示す、図１および図２におけるＺＺ断面に相当する拡大断面図である。
【符号の説明】
【００５６】
１  インサート本体
２  すくい面
２Ａ  すくい面２の鈍角端角部（他の角部）
３  着座面
３Ａ  着座面３の辺稜部
４  逃げ面
４Ａ  第１逃げ面
４Ｂ  第２逃げ面
４Ｃ  拘束面
４Ｄ  第３逃げ面
５  取付孔
６  コーナ刃
７  主切刃
７Ａ  主切刃７の一端
７Ｂ  主切刃７の他端
７Ｃ  主切刃７の中間部
８  副切刃
８Ｂ  凹部
９  凹面
１１  工具本体
１３  インサート取付座
Ｃ  取付孔５の中心線
Ｏ  工具本体１１の回転軸線
Ｐ  軸線Ｏ回りの回転軌跡において主切刃７が接する円筒面
Ａ  主切刃７の投影線において一端７Ａが円筒面Ｐから後退する後退量
Ｂ  主切刃７の投影線において他端７Ｂが円筒面Ｐから後退する後退量
Ｒ  主切刃７の投影線がなす凸円弧の半径
Ｄ  転削工具の切刃外径
Ｗ  すくい面２の幅
Ｌ  副切刃８の延長線
Ｍ  凹部８Ｂに接する接線
α，β，γ  すくい面２のすくい角（ラジアルレーキ角）
θ  平面視に接線Ｍが延長線Ｌに対してなす角度
δ  平面視に辺稜部３Ａが延長線Ｌに対してなす角度
【図１】
0004706284.tif 000002
【図２】
0004706284.tif 000003
【図３】
0004706284.tif 000004
【図４】
0004706284.tif 000005
【図５】
0004706284.tif 000006
【図６】
0004706284.tif 000007
【図７】
0004706284.tif 000008
【図８】
0004706284.tif 000009
【図９】
0004706284.tif 000010
【図１０】
0004706284.tif 000011
【図１１】
0004706284.tif 000012